(57)【要約】【課題】設計および製造工程の簡易化を図り、製造コストを低減することが可能な放送受信装置を提供する。【解決手段】放送受信装置は、地上波放送信号および衛星放送信号を受信する受信部１０４と、受信した地上波放送信号をＩＦ信号に周波数変換する地上波放送用チューナ部１０１と、地上波放送用チューナ部１０１で周波数変換されたＩＦ信号を復調する地上波放送用アナログ復調部１０２と、受信した衛星放送信号を衛星放送信号より低い周波数帯の信号に周波数変換する衛星放送用チューナ部１０３とを備え、地上波放送用チューナ部１０１と、地上波放送用アナログ復調部１０２と、衛星放送用チューナ部１０３とが同一基板Ｋ１上に配置される。【選択図】図１
2007116429.tif 000002
【特許請求の範囲】
【請求項１】
地上波放送信号および衛星放送信号を受信する受信部と、
前記受信した地上波放送信号をＩＦ信号に周波数変換する地上波放送用チューナ部と、
前記地上波放送用チューナ部で周波数変換されたＩＦ信号を復調する地上波放送用アナログ復調部と、
前記受信した衛星放送信号を前記衛星放送信号より低い周波数帯の信号に周波数変換する衛星放送用チューナ部とを備え、
前記地上波放送用チューナ部と、前記地上波放送用アナログ復調部と、前記衛星放送用チューナ部とが同一基板上に配置される放送受信装置。
【請求項２】
前記受信部は、
前記地上波放送信号を外部から入力する地上波放送用入力端子と、
前記衛星放送信号を外部から入力する衛星波放送用入力端子とを含み、
前記地上波放送用入力端子および前記衛星波放送用入力端子は前記基板の実装面の同一辺側に配置される請求項１記載の放送受信装置。
【請求項３】
前記基板は、第１の領域および第２の領域に分割され、
前記第１の領域には地上波放送用チューナ部が配置され、
前記第２の領域には衛星放送用チューナ部および前記地上波放送用アナログ復調部が配置される請求項２記載の放送受信装置。
【請求項４】
前記放送受信装置は、さらに、
前記基板が格納されるシールドケースを備え、
前記基板の接地パターンと前記シールドケースとが電気的に接続される請求項１記載の放送受信装置。
【請求項５】
前記放送受信装置は、さらに、
前記基板が格納されるシールドケースと、
前記地上波放送用チューナ部、前記地上波放送用アナログ復調部および前記衛星放送用チューナ部を前記シールドケース内で空間的に分離するシールド板とを備える請求項１記載の放送受信装置。
【請求項６】
前記受信部は、
前記各放送信号を外部から入力する共通の入力端子と、
前記基板上に配置され、前記入力された放送信号の周波数成分のうちの第１の周波数以上の成分を減衰し、前記減衰後の放送信号を前記地上波放送用チューナ部へ出力するローパスフィルタと、
前記基板上に配置され、前記入力された放送信号の周波数成分のうちの第２の周波数以下の成分を減衰し、前記減衰後の放送信号を前記衛星放送用チューナ部へ出力するハイパスフィルタとを含む請求項１記載の放送受信装置。
【請求項７】
前記受信部は、さらに、前記ローパスフィルタを通過した減衰後の放送信号を分配して前記地上波放送用チューナ部および外部へ出力する分配器を含む請求項６記載の放送受信装置。
【請求項８】
前記基板の実装面の一辺に前記共通の入力端子が配置され、
前記分配器は、前記入力端子が配置される一辺側から前記減衰後の放送信号を外部へ出力する請求項７記載の放送受信装置。
【請求項９】
前記地上波放送用チューナ部は、前記ＩＦ信号を地上波放送用アナログ復調部および外部へ出力する請求項１記載の放送受信装置。
【請求項１０】
前記放送受信装置は、さらに、
基準信号を生成する基準発振回路を備え、
前記地上波放送用チューナ部は、
第１の局部発振信号を生成する第１の局部発振回路と、
前記受信した地上波放送信号と前記第１の局部発振信号とを乗算することにより前記地上波放送信号をＩＦ信号に周波数変換する第１の混合回路と、
前記基準信号に基づいて前記第１の局部発振回路を制御することにより、前記第１の局部発振信号の周波数を変更する第１のＰＬＬ回路とを含み、
前記衛星放送用チューナ部は、
第２の局部発振信号を生成する第２の局部発振回路と、
前記受信した衛星放送信号と前記第２の局部発振信号とを乗算することにより前記衛星放送信号を前記衛星放送信号より低い周波数帯の信号に周波数変換する第２の混合回路と、
前記基準信号に基づいて前記第２の局部発振回路を制御することにより、前記第２の局部発振信号の周波数を変更する第２のＰＬＬ回路とを含む請求項１記載の放送受信装置。
【発明の詳細な説明】
【技術分野】
【０００１】
本発明は、放送受信装置に関し、特に、複数の放送信号を受信する放送受信装置に関する。
【背景技術】
【０００２】
デジタル方式の衛星放送を受信するチューナの一例として、特許文献１には以下のようなチューナが開示されている。すなわち、チューナは、ＩＦ信号復調部とＩ／Ｑ信号復調部とを含む。各復調部はそれぞれ別個の基板上に形成され、別個のシャーシにより覆われる。ＩＦ信号復調部の増幅回路から出力端子までと、Ｉ／Ｑ信号復調部のＩＦ信号入力端子からベースバンド変換回路までとの間に、それぞれローパスフィルタを設ける。さらにベースバンド変換回路へのＩＦ信号を検波するためのＡＧＣ検波回路を設け、ＡＧＣ検波回路からのＡＧＣ電圧によってＩＦ信号復調部の増幅回路を制御する。
【特許文献１】特開平９−２１４８４３号公報
【発明の開示】
【発明が解決しようとする課題】
【０００３】
ところで、地上波デジタル放送、地上波アナログ放送および衛星放送を受信することができる構成のテレビジョン受信機（以下、テレビと称する。）が近年増加している。
【０００４】
しかしながら、特許文献１記載のチューナと、地上波デジタル放送を受信するチューナと、地上波アナログ放送を受信するチューナとを組み合わせてテレビを製造する方法では、各チューナを組み合わせることによって設計および製造工程が複雑になり、製造コストが増大してしまうという問題点があった。たとえば、地上波放送用のチューナおよび衛星放送用のチューナが別の基板に配置されている場合には、基板間を接続するためのケーブルの配置、およびテレビ内の各基板の配置等を行なうための設計および製造工程が複雑になってしまう。
【０００５】
それゆえに、本発明の目的は、設計および製造工程の簡易化を図り、製造コストを低減することが可能な放送受信装置を提供することである。
【課題を解決するための手段】
【０００６】
上記課題を解決するために、この発明のある局面に係わる放送受信装置は、地上波放送信号および衛星放送信号を受信する受信部と、受信した地上波放送信号をＩＦ信号に周波数変換する地上波放送用チューナ部と、地上波放送用チューナ部で周波数変換されたＩＦ信号を復調する地上波放送用アナログ復調部と、受信した衛星放送信号を衛星放送信号より低い周波数帯の信号に周波数変換する衛星放送用チューナ部とを備え、地上波放送用チューナ部と、地上波放送用アナログ復調部と、衛星放送用チューナ部とが同一基板上に配置される。
【０００７】
好ましくは、受信部は、地上波放送信号を外部から入力する地上波放送用入力端子と、衛星放送信号を外部から入力する衛星波放送用入力端子とを含み、地上波放送用入力端子および衛星波放送用入力端子は基板の実装面の同一辺側に配置される。
【０００８】
より好ましくは、基板は、第１の領域および第２の領域に分割され、第１の領域には地上波放送用チューナ部が配置され、第２の領域には衛星放送用チューナ部および地上波放送用アナログ復調部が配置される。
【０００９】
好ましくは、放送受信装置は、さらに、基板が格納されるシールドケースを備え、基板の接地パターンとシールドケースとが電気的に接続される。
【００１０】
好ましくは、放送受信装置は、さらに、基板が格納されるシールドケースと、地上波放送用チューナ部、地上波放送用アナログ復調部および衛星放送用チューナ部をシールドケース内で空間的に分離するシールド板とを備える。
【００１１】
好ましくは、受信部は、各放送信号を外部から入力する共通の入力端子と、基板上に配置され、入力された放送信号の周波数成分のうちの第１の周波数以上の成分を減衰し、減衰後の放送信号を地上波放送用チューナ部へ出力するローパスフィルタと、基板上に配置され、入力された放送信号の周波数成分のうちの第２の周波数以下の成分を減衰し、減衰後の放送信号を衛星放送用チューナ部へ出力するハイパスフィルタとを含む。
【００１２】
より好ましくは、受信部は、さらに、ローパスフィルタを通過した減衰後の放送信号を分配して地上波放送用チューナ部および外部へ出力する分配器を含む。
【００１３】
より好ましくは、基板の実装面の一辺に共通の入力端子が配置され、分配器は、入力端子が配置される一辺側から減衰後の放送信号を外部へ出力する。
【００１４】
好ましくは、地上波放送用チューナ部は、ＩＦ信号を地上波放送用アナログ復調部および外部へ出力する。
【００１５】
好ましくは、放送受信装置は、さらに、基準信号を生成する基準発振回路を備え、地上波放送用チューナ部は、第１の局部発振信号を生成する第１の局部発振回路と、受信した地上波放送信号と第１の局部発振信号とを乗算することにより地上波放送信号をＩＦ信号に周波数変換する第１の混合回路と、基準信号に基づいて第１の局部発振回路を制御することにより、第１の局部発振信号の周波数を変更する第１のＰＬＬ回路とを含み、衛星放送用チューナ部は、第２の局部発振信号を生成する第２の局部発振回路と、受信した衛星放送信号と第２の局部発振信号とを乗算することにより衛星放送信号を衛星放送信号より低い周波数帯の信号に周波数変換する第２の混合回路と、基準信号に基づいて第２の局部発振回路を制御することにより、第２の局部発振信号の周波数を変更する第２のＰＬＬ回路とを含む。
【発明の効果】
【００１６】
本発明によれば、設計および製造工程の簡易化を図り、製造コストを低減することができる。
【発明を実施するための最良の形態】
【００１７】
以下、本発明の実施の形態について図面を用いて説明する。なお、図中同一または相当部分には同一符号を付してその説明は繰り返さない。
【００１８】
＜第１の実施の形態＞
図１は、本発明の第１の実施の形態に係る放送受信装置の実装概略図である。
【００１９】
同図を参照して、この放送受信装置は、地上波放送用チューナ部１０１と、地上波放送用アナログ復調部１０２と、衛星放送用チューナ部１０３と、受信部１０４とを備える。
【００２０】
基板Ｋ１の実装面上に、地上波放送用チューナ部１０１と、地上波放送用アナログ復調部１０２と、衛星放送用チューナ部１０３とが実装される。
【００２１】
受信部１０４は、地上波放送信号および衛星放送信号を受信する。より詳細には、受信部１０４は、アンテナ（入力端子）ＡＮＴ１〜ＡＮＴ２を含む。アンテナＡＮＴ１は、地上波放送信号、たとえば４７０ＭＨｚ〜７７０ＭＨｚの周波数帯のＵＨＦ（Ultra High Frequency）信号、ＵＨＦより低い周波数帯のＶＨＦ（Very High Frequency）ハイバンド信号またはＶＨＦハイバンドより低い周波数帯のＶＨＦローバンド信号を外部から入力する。アンテナＡＮＴ２は、たとえば９５０ＭＨｚ〜２１５０ＭＨｚの周波数帯の衛星放送信号を外部から入力する。また、アンテナＡＮＴ１は地上波放送用チューナ部１０１に接続され、また、アンテナＡＮＴ２は衛星放送用チューナ部１０３に接続される。
【００２２】
アンテナＡＮＴ１〜ＡＮＴ２は、基板Ｋ１の同一端部、すなわち基板Ｋ１の実装面の同一辺側に配置される。このような構成により、この放送受信装置を搭載するテレビ等の製品設計が容易になる。たとえば、製品の基板の端部付近にこの放送受信装置を配置し、製品用のケースの、アンテナＡＮＴ１〜ＡＮＴ２のみが製品外部に現れるようにアンテナＡＮＴ１〜ＡＮＴ２の対応する位置に穴を空けることにより、製品外部から放送受信装置のアンテナＡＮＴ１〜ＡＮＴ２に配線を直接接続することができ、製品設計の簡易化を図ることができる。
【００２３】
基板Ｋ１は、地上波放送用チューナ部１０１が実装される第１の領域と、衛星放送用チューナ部１０３および地上波放送用アナログ復調部１０２が実装される第２の領域とに分割される。
【００２４】
より詳細には、基板Ｋ１の実装面は四角形であり、地上波放送用チューナ部１０１が基板Ｋ１の上側の領域すなわち第１の領域に実装され、衛星放送用チューナ部１０３および地上波放送用アナログ復調部１０２が基板Ｋ１の下側の領域すなわち第２の領域に実装される。地上波放送用アナログ復調部１０２は、第２の領域のうち、衛星放送用チューナ部１０３が実装される領域以外の領域に実装される。
【００２５】
ここで、一般に衛星放送用チューナ部１０３は地上波放送用チューナ部１０１よりも実装領域が小さいことから、衛星放送用チューナ部１０３および地上波放送用チューナ部１０１を上下に並べ、四角形の基板Ｋ１の実装面のうち、衛星放送用チューナ部１０３の隣の余った領域に地上波放送用アナログ復調部１０２を実装することにより、基板Ｋ１の実装面を最小化することができ、放送受信装置の小型化を図ることができる。
【００２６】
なお、アンテナＡＮＴ１〜ＡＮＴ２が基板Ｋ１の左側の同一端部に配置される場合には、地上波放送用アナログ復調部１０２および衛星放送用チューナ部１０３が左右逆に配置される。また、アンテナＡＮＴ１〜ＡＮＴ２が上下逆に配置される場合には、地上波放送用チューナ部１０１と、地上波放送用アナログ復調部１０２および衛星放送用チューナ部１０３とが上下逆に配置される。
【００２７】
地上波放送用チューナ部１０１は、アンテナＡＮＴ１に入力された地上波放送信号をＩＦ信号に周波数変換する。
【００２８】
地上波放送用アナログ復調部１０２は、入力された地上波放送信号が地上波アナログ放送信号である場合には、地上波放送用チューナ部１０１で周波数変換されたＩＦ信号を復調（検波）して復調信号（検波信号）を出力する。より詳細には、地上波放送用アナログ復調部１０２は、ＩＦ信号を復調してビデオ信号と、ＳＩＦ（Sound  Intermediate  Frequency）信号およびオーディオ信号の少なくともいずれか一方とを出力する。
【００２９】
衛星放送用チューナ部１０３は、アンテナＡＮＴ２に入力された衛星放送信号を復調して復調信号を出力する。
【００３０】
図２は、本発明の第１の実施の形態に係る放送受信装置の構造を示す斜視図である。
同図を参照して、この放送受信装置は、図１で示した構成に加えて、シールドケースＫ２〜Ｋ４と、シールド板Ｋ５〜Ｋ６とを備える。
【００３１】
シールドケースＫ２〜Ｋ３は、放送受信装置の完成状態において放送受信装置の蓋となる。シールドケースＫ４は、放送受信装置の完成状態において放送受信装置の側壁となる。シールドケースＫ２〜Ｋ４は、基板Ｋ１を格納する。シールド板Ｋ５〜Ｋ６は、シールドケースＫ４の内側に配置され、シールドケースＫ４に電気的に接続される。
【００３２】
シールド板Ｋ５〜Ｋ６に形成されたシャーシ足Ｋ１１〜Ｋ１３が基板Ｋ１に形成されたシャーシ足用穴Ｋ１４〜Ｋ１６に接続される。シャーシ足用穴Ｋ１４〜Ｋ１６は、基板Ｋ１のＧＮＤパターンと電気的に接続されている。したがって、基板Ｋ１のＧＮＤ（接地）パターンとシールドケースＫ２〜Ｋ４とが電気的に接続される。
【００３３】
このような構成により、放送受信装置外部からの干渉波を低減し、放送受信装置の受信特性の劣化を防ぐことができる。
【００３４】
また、シールド板Ｋ５〜Ｋ６は、基板Ｋ１がシールドケースＫ２〜Ｋ４内に格納された状態において、地上波放送用チューナ部１０１と、地上波放送用アナログ復調部１０２と、衛星放送用チューナ部１０３とを空間的に分離する。
【００３５】
このような構成により、地上波放送用チューナ部１０１、地上波放送用アナログ復調部１０２および衛星放送用チューナ部１０３間の干渉を低減し、放送受信装置の受信特性の劣化を防ぐことができる。
【００３６】
図３は、地上波放送用アナログ復調部１０２の構成を示す機能ブロック図である。
同図を参照して、地上波放送用チューナ部１０１は、アッテネータ１と、バンドパスフィルタ２と、ＲＦアンプ３と、バンドパスフィルタ７〜９と、ＲＦアンプ１０〜１２と、バンドパスフィルタ１３〜１５と、ミキサＰＬＬ部５１と、ＩＦアンプ２６と、バンドパスフィルタ２７と、ＳＡＷフィルタ２８と、ＩＦアンプ２９と、ＳＡＷフィルタ３０と、ＤＣ−ＤＣコンバータ４６と、スイッチＳＷ２とを含む。なお、地上波放送用チューナ部１０１は、バンドパスフィルタ２の代わりにハイパスフィルタを含む構成であってもよく、バンドパスフィルタ２７の代わりにローパスフィルタを含む構成であってもよい。
【００３７】
また、地上波放送用アナログ復調部１０２は、ＳＡＷフィルタ３２〜３３と、コンデンサ４２と、コイル４３と、アンプ４４と、アナログ復調部５２とを含む。
【００３８】
ミキサＰＬＬ部５１は、たとえば１個のＩＣであり、混合回路１６〜１８と、局部発振回路１９〜２１と、ＡＧＣ検波回路２２と、スイッチＳＷ１と、ＩＦアンプ２３〜２５と、ＩＦアンプ３１と、ＰＬＬ回路４５とを含む。
【００３９】
アナログ復調部５２は、たとえば１個のＩＣであり、ＶＩＦアンプ３４と、映像復調回路３５と、イコライザアンプ３６と、ＳＩＦアンプ３７と、音声検波回路３８と、ＦＭ（Frequency  Modulation）検波回路３９と、ＡＦ（Audio  Frequency）アンプ４０と、ＶＣＯ（Voltage  Controlled  Oscillator）４１とを含む。
【００４０】
また、本発明の第１の実施の形態に係る放送受信装置は、地上波放送用チューナ部１０１および衛星放送用チューナ部１０３で共通に使用する基準発振回路５０を備える。基準発振回路５０は、水晶４７と、発振器４８とを含む。基準発振回路５０は、発振してたとえば４ＭＨｚの基準信号を生成する。
【００４１】
［地上波放送用チューナ部１０１］
次に、地上波放送用チューナ部１０１について説明する。
【００４２】
アッテネータ１は、アンテナＡＮＴ１から入力された地上波放送信号を減衰させる。アッテネータ１は、ＡＧＣ制御信号に基づいて減衰量を変更する。
【００４３】
バンドパスフィルタ２は、アッテネータ１を通過した地上波放送信号の周波数成分のうち所定帯域外の成分を減衰させる。
【００４４】
ＲＦアンプ３は、バンドパスフィルタ２を通過した地上波放送信号を増幅する。
バンドパスフィルタ７〜９は、ＲＦアンプ３で増幅された地上波放送信号の周波数成分のうち所定帯域外の成分を減衰させる。ここで、バンドパスフィルタ７を通過する地上波放送信号はＵＨＦ信号であり、バンドパスフィルタ８を通過する地上波放送信号はＶＨＦハイバンド信号であり、バンドパスフィルタ９を通過する地上波放送信号はＶＨＦローバンド信号である。
【００４５】
ＲＦアンプ１０〜１２は、バンドパスフィルタ７〜９を通過した信号を増幅する。また、ＲＦアンプ１０〜１２は、ＡＧＣ制御信号に基づいてゲインを変更する。
【００４６】
バンドパスフィルタ１３〜１５は、ＲＦアンプ１０〜１２で増幅された地上波放送信号の周波数成分のうち所定帯域外の成分を減衰させる。
【００４７】
混合回路１６〜１８は、バンドパスフィルタ１３〜１５を通過した地上波放送信号と、局部発振回路１９〜２１から受けた局部発振信号とを乗算することにより地上波放送信号をＩＦ（Intermediate Frequency）信号に周波数変換する。ＩＦ信号は、たとえば５７ＭＨｚである。
【００４８】
ＩＦアンプ２３は、混合回路１６〜１８から受けたＩＦ信号を増幅する。ＩＦアンプ２４〜２５は、ＩＦアンプ２３から受けたＩＦ信号を増幅する。ＩＦアンプ２６は、ＩＦアンプ２４から受けたＩＦ信号を増幅する。
【００４９】
バンドパスフィルタ２７は、ＩＦアンプ２６で増幅されたＩＦ信号の周波数成分のうち所定帯域外の成分を減衰させる。
【００５０】
ＳＡＷフィルタ２８は、ＩＦアンプ２５から受けたＩＦ信号の周波数成分のうち所定帯域外の成分を減衰させる。
【００５１】
ＩＦアンプ２９は、ＳＡＷフィルタ２８を通過したＩＦ信号を増幅する。
ＳＡＷフィルタ３０は、ＩＦアンプ２９から受けたＩＦ信号の周波数成分のうち所定帯域外の成分を減衰させる。
【００５２】
ＲＦアンプ３１は、ＳＡＷフィルタ３０通過したＩＦ信号を増幅し、放送受信装置外部へ出力する。ＲＦアンプ３１から放送受信装置外部へ出力されたＩＦ信号は図示しないデジタル復調回路において復調される。また、ＲＦアンプ３１は、図示しないデジタル復調回路から受けたＡＧＣ制御信号ＡＧＣ２に基づいてゲインを変更し、図示しないデジタル復調回路が受けるＩＦ信号のレベルを一定にする。
【００５３】
ＡＧＣ検波回路２２は、ＩＦアンプ２３から受けたＩＦ信号のレベルに基づいてデジタルＲＦＡＧＣ制御信号を生成する。
【００５４】
ＰＬＬ回路４５は、放送受信装置外部から受けた制御信号ＳＣＬ２および制御信号ＳＤＡ２の表わすＰＬＬパラメータ、ならびに基準発振回路５０から受けた基準信号に基づいて局部発振回路１９〜２１の発振周波数を制御する。たとえば、ＰＬＬ回路４５は、局部発振回路１９〜２１からの局部発振信号をそれぞれ所定の分周比で分周した信号と、基準発振回路５０からの基準信号との位相を比較する。そして、ＰＬＬ回路４５は、位相比較結果に基づいて局部発振回路１９〜２１の発振周波数を制御する。局部発振回路１９〜２１は、ＰＬＬ回路４５の制御に基づいて発振し、局部発振信号を出力する。
【００５５】
ＤＣ−ＤＣコンバータ４６は、外部から受けた５Ｖの直流電圧Ｂ５を３１Ｖの直流電圧に変換し、ミキサＰＬＬ部５１に供給する。また、ミキサＰＬＬ部５１には外部から５Ｖの直流電圧Ｂ４が供給される。
【００５６】
スイッチＳＷ１およびスイッチＳＷ２は、それぞれオン状態およびオフ状態を切り替えることにより、ＡＧＣ検波回路２２で生成されたデジタルＲＦＡＧＣ制御信号、または後述する地上波放送用アナログ復調部１０２で生成されたアナログＲＦＡＧＣ制御信号をＲＦアンプ１０〜１２、アッテネータ１および放送受信装置外部へ出力する。放送受信装置外部へ出力されるＲＦＡＧＣ制御信号は、通常、モニタ用である。
【００５７】
［地上波放送用アナログ復調部１０２］
次に、地上波放送用アナログ復調部１０２について説明する。
【００５８】
ＳＡＷフィルタ３２〜３３は、バンドパスフィルタ２７を通過したＩＦ信号の周波数成分のうち所定帯域外の成分を減衰させる。ＳＡＷフィルタ３２を通過するＩＦ信号は、音声信号用の帯域におけるＩＦ信号である。また、ＳＡＷフィルタ３３を通過するＩＦ信号は、映像信号用の帯域におけるＩＦ信号である。
【００５９】
ＶＩＦアンプ３４は、ＳＡＷフィルタ３２を通過したＩＦ信号を増幅する。
映像復調回路３５は、ＶＣＯ４１から受けた発振信号に基づいて、ＶＩＦアンプ３４から受けたＩＦ信号を復調し、ビデオ信号として出力する。ここで、ＶＣＯ４１の生成する発振信号は、コンデンサ４２の容量値およびコイル４３のインダクタンス値に応じて周波数が変わる。
【００６０】
イコライザアンプ３６は、映像復調回路３５から受けたビデオ信号に含まれるノイズの除去およびビデオ信号の振幅特性の調整等を行なう。
【００６１】
アンプ４４は、イコライザアンプ３６から受けたビデオ信号を増幅し、放送受信装置外部へ出力する。
【００６２】
ＳＩＦアンプ３７は、ＳＡＷフィルタ３３を通過したＩＦ信号を増幅する。
音声検波回路３８は、ＶＣＯ４１から受けた発振信号に基づいて、ＳＩＦアンプ３７から受けたＩＦ信号を復調し、ＳＩＦ信号をＦＭ検波回路３９および放送受信装置外部へ出力する。
【００６３】
ＦＭ検波回路３９は、音声検波回路３８から受けたＳＩＦ信号をＦＭ検波し、オーディオ信号としてＡＦアンプ４０へ出力する。
【００６４】
ＡＦアンプ４０は、ＦＭ検波回路３９から受けたオーディオ信号を増幅し、放送受信装置外部へ出力する。
【００６５】
ここで、映像復調回路３５、音声検波回路３８およびＦＭ検波回路３９のうちの少なくともいずれかひとつは、入力したＩＦ信号のレベルに基づいてアナログＲＦＡＧＣ制御信号を生成する。
【００６６】
また、映像復調回路３５、音声検波回路３８およびＦＭ検波回路３９のうちの少なくともいずれかひとつは、ＶＣＯ４１のフリーラン周波数と入力したＩＦ信号の周波数とのずれを表わすＡＦＴ信号を放送受信装置外部へ出力する。通常、ＡＦＴ信号は、放送受信装置を備えたテレビ等において放送局の有無を判別するチャンネルサーチ機能を実現するために用いられる。
【００６７】
アナログ復調部５２には外部から５Ｖの直流電圧Ｂ６が供給される。
［衛星放送用チューナ部１０３］
図４は、衛星放送用チューナ部１０３の構成を示す機能ブロック図である。
【００６８】
同図を参照して、衛星放送用チューナ部１０３は、ハイパスフィルタ６１と、ＲＦアンプ６２と、ミキサＰＬＬ部５３と、ローパスフィルタ７８と、コンデンサＣ１〜Ｃ３とを含む。
【００６９】
ミキサＰＬＬ部５３は、たとえば１個のＩＣであり、ＲＦアンプ６３と、ＡＧＣアンプ６４と、混合回路６５〜６６と、アンプ６７〜６８と、ローパスフィルタ６９〜７０と、アンプ７１〜７２と、ＡＧＣ制御回路７３と、シフター（移相回路）７４と、アンプ７５と、ＶＣＯ７６と、ＰＬＬ回路７７とを含む。
【００７０】
ハイパスフィルタ６１は、アンテナＡＮＴ２から入力された衛星放送信号の周波数成分のうち所定周波数以下の成分を減衰させる。
【００７１】
ＲＦアンプ６２は、ハイパスフィルタ６１を通過した衛星放送信号を増幅する。
ＲＦアンプ６３は、ＲＦアンプ６２から受けた衛星放送信号を増幅する。
【００７２】
ＡＧＣアンプ６４は、ＲＦアンプ６３から受けた衛星放送信号を増幅する。また、ＡＧＣアンプ６４は、ＡＧＣ制御回路７３の制御に基づいてゲインを変更する。
【００７３】
ＡＧＣ制御回路７３は、放送受信装置外部の図示しないＩＱ復調回路から受けたＡＧＣ制御信号ＡＧＣ１に基づいてＡＧＣアンプ６４のゲインを制御する。
【００７４】
混合回路６５〜６６は、ＡＧＣアンプ６４から受けた衛星放送信号と、シフタ−７４から受けた局部発振信号とを乗算することにより衛星放送信号をＩＦ信号またはベースバンド信号に周波数変換し、それぞれＩ信号およびＱ信号として出力する。
【００７５】
ＲＦアンプ６７〜６８は、混合回路６５〜６６から受けたＩ信号およびＱ信号を増幅する。
【００７６】
ローパスフィルタ６９〜７０は、ＲＦアンプ６７〜６８から受けたＩ信号およびＱ信号の周波数成分のうち所定周波数以下の成分を減衰させる。
【００７７】
ＲＦアンプ７１〜７２は、ローパスフィルタ６９〜７０を通過したＩ信号およびＱ信号を増幅し、放送受信装置外部へ出力する。ＲＦアンプ７１〜７２から放送受信装置外部へ出力されたＩ信号およびＱ信号は図示しないＩＱ復調回路において復調される。
【００７８】
ＶＣＯ７６は、ローパスフィルタ７８を通過したＰＬＬ回路７７からの制御信号および
基準発振回路５０から受けた基準信号に基づいて発振し、局部発振信号を出力する。
【００７９】
シフタ−７４は、ＶＣＯ７６から受けた局部発振信号を９０度の位相差を有する２つの局部発振信号に分岐して混合回路６５〜６６へ出力する。また、シフタ−７４は、混合回路６５〜６６へ出力する局部発振信号の少なくともいずれか一方をアンプ７５へ出力する。
【００８０】
アンプ７５は、シフタ−７４から受けた局部発振信号を増幅し、ＰＬＬ回路７７へ出力する。
【００８１】
ＰＬＬ回路７７は、放送受信装置外部から受けた制御信号ＳＣＬ１および制御信号ＳＤＡ１の表わすＰＬＬパラメータ、ならびにアンプ７５から受けた局部発振信号に基づいて制御信号を生成し、ローパスフィルタ７８へ出力する。
【００８２】
ローパスフィルタ７８は、ＰＬＬ回路７７から受けた制御信号の周波数成分のうち所定周波数以上の成分を減衰させる。
【００８３】
コンデンサＣ１〜Ｃ３は、前段回路および後段回路間の直流電圧の影響を防ぐために配置される。
【００８４】
ＲＦアンプ６２と、ミキサＰＬＬ部５３とに放送受信装置外部から直流電圧Ｂ２が供給される。放送受信装置外部から供給される電圧Ｂ１は、放送受信装置経由でアンテナＡＮＴ２側のＬＮＢ（Low  Noise  Block  Down  Converter）に供給される。
【００８５】
ところで、特許文献１記載のチューナと、地上波デジタル放送を受信するチューナと、地上波アナログ放送を受信するチューナとを組み合わせてテレビを製造する方法では、各チューナを組み合わせることによって設計および製造工程が複雑になり、製造コストが増大してしまうという問題点があった。
【００８６】
しかしながら、本発明の第１の実施の形態に係る放送受信装置では、地上波放送用チューナ部１０１と、地上波放送用アナログ復調部１０２と、衛星放送用チューナ部１０３とは、同一基板上に配置されている。したがって、地上波放送用チューナ部１０１と、地上波放送用アナログ復調部１０２と、衛星放送用チューナ部１０３とを含むテレビ等の設計および製造工程の簡易化を図ることができ、製造コストを低減することができる。
【００８７】
さらに、本発明の第１の実施の形態に係る放送受信装置を搭載し、かつ、衛星放送を受信する必要がないテレビを製造する場合には、単に基板Ｋ１に衛星放送用チューナ部１０３を実装しないだけで対応することができ、製造工程の簡易化を図ることができる。また、地上波放送用チューナ部１０１、地上波放送用アナログ復調部１０２および衛星放送用チューナ部１０３のすべてを基板Ｋ１に実装する場合および一部を基板Ｋ１に実装する場合で放送受信装置の形状を共通化することができ、高価なテレビセットおよび廉価なテレビセット等を共通設計することができ、設計および製造工程を大幅に効率化することができる。
【００８８】
また、本発明の第１の実施の形態に係る放送受信装置では、地上波放送用チューナ部１０１および衛星放送用チューナ部１０３で基準発振回路５０を共通に使用する。このような構成により、放送受信装置および放送受信装置を搭載するテレビ等の小型化および製造コストの低減を図ることができる。
【００８９】
次に、本発明の他の実施の形態について図面を用いて説明する。なお、図中同一または相当部分には同一符号を付してその説明は繰り返さない。
【００９０】
＜第２の実施の形態＞
本実施の形態は、地上波放送用のアンテナおよび衛星放送用のアンテナを共用する放送受信装置に関する。以下で説明する内容以外の構成および動作は第１の実施の形態に係る放送受信装置と同様である。
【００９１】
図５は、本発明の第２の実施の形態に係る放送受信装置の構成を示す機能ブロック図である。
【００９２】
同図を参照して、この放送受信装置は、第１の実施の形態に係る受信部１０４の代わりに受信部１０５を備える。受信部１０５は、アンテナＡＮＴ３と、ローパスフィルタ８１と、ハイパスフィルタ８２と、コンデンサＣ４とを含む。
【００９３】
アンテナＡＮＴ３は、地上波放送信号および衛星放送信号の含まれる無線信号を外部から入力する。
【００９４】
ローパスフィルタ８１は、アンテナＡＮＴ３から入力された無線信号の周波数成分のうち所定周波数以上の成分を減衰させて地上波放送信号を抽出し、地上波放送用チューナ部１０１へ出力する。
【００９５】
ハイパスフィルタ８２は、アンテナＡＮＴ３から入力された無線信号の周波数成分のうち所定周波数以下の成分を減衰させて衛星放送信号を抽出し、衛星放送用チューナ部１０３へ出力する。
【００９６】
ここで、ローパスフィルタ８１で減衰する信号成分の最小周波数は、地上波放送信号で最も高い周波数帯のＵＨＦ信号を減衰させず、かつ、衛星放送信号を通過させない周波数であることが好ましい。
【００９７】
また、ハイパスフィルタ８２が減衰する信号成分の最大周波数は、衛星放送信号を減衰させず、かつ、地上波放送信号を通過させない周波数であることが好ましい。
【００９８】
したがって、ローパスフィルタ８１で減衰する信号成分の最小周波数およびハイパスフィルタ８２が減衰する信号成分の最大周波数の大小関係は特に限定されるものではなく、いずれかが大きくてもよいし、あるいは等しい関係であってもよい。
【００９９】
コンデンサＣ４は、前段回路および後段回路間の直流電圧の影響を防ぐために配置される。
【０１００】
したがって、本発明の第２の実施の形態に係る放送受信装置では、地上波放送信号および衛星放送信号を受信するアンテナを共通化することにより、第１の実施の形態に係る放送受信装置に対して、さらに、放送受信装置および放送受信装置を搭載するテレビ等の小型化および製造コストの低減を図ることができる。
【０１０１】
次に、本発明の他の実施の形態について図面を用いて説明する。なお、図中同一または相当部分には同一符号を付してその説明は繰り返さない。
【０１０２】
＜第３の実施の形態＞
本実施の形態は、地上波放送用のアンテナおよび衛星放送用のアンテナを共用する放送受信装置に関する。以下で説明する内容以外の構成および動作は第２の実施の形態に係る放送受信装置と同様である。
【０１０３】
図６は、本発明の第３の実施の形態に係る放送受信装置の構成を示す機能ブロック図である。
【０１０４】
同図を参照して、この放送受信装置は、第２の実施の形態に係る受信部１０５の代わりに受信部１０６を備える。受信部１０６は、アンテナＡＮＴ３と、ローパスフィルタ８１と、ハイパスフィルタ８２と、コンデンサＣ４と、分配器８３と、分配出力端子Ｔ１を含む。
【０１０５】
分配器８３は、ローパスフィルタ８１を通過した減衰後の地上波放送信号を分配して地上波放送用チューナ部１０１へ出力し、また、分配出力端子Ｔ１を介して放送受信装置外部へ出力する。
【０１０６】
このような構成により、たとえば、この放送受信装置を搭載するテレビ等の装置とは別の装置の入力端子とこの放送受信装置の分配器８３の出力とを接続することができ、簡単に複数の装置で放送信号を受信することができる。
【０１０７】
図７は、本発明の第３の実施の形態に係る放送受信装置の構造を示す斜視図である。
同図を参照して、アンテナＡＮＴ３および分配出力端子Ｔ１は、基板Ｋ１の同一端部、すなわち基板Ｋ１の実装面の同一辺側に配置される。このような構成により、この放送受信装置を搭載するテレビ等の製品設計が容易になる。たとえば、製品の基板の端部付近にこの放送受信装置を配置し、製品用のケースの、アンテナＡＮＴ３および分配出力端子Ｔ１のみが製品外部に現れるようにアンテナＡＮＴ３および分配出力端子Ｔ１の対応する位置に穴を空けることにより、製品外部から放送受信装置のアンテナＡＮＴ３および分配出力端子Ｔ１に配線を直接接続することができ、製品設計の簡易化を図ることができる。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０９】
【図１】本発明の第１の実施の形態に係る放送受信装置の実装概略図である。
【図２】本発明の第１の実施の形態に係る放送受信装置の構造を示す斜視図である。
【図３】地上波放送用アナログ復調部１０２の構成を示す機能ブロック図である。
【図４】衛星放送用チューナ部１０３の構成を示す機能ブロック図である。
【図５】本発明の第２の実施の形態に係る放送受信装置の構成を示す機能ブロック図である。
【図６】本発明の第３の実施の形態に係る放送受信装置の構成を示す機能ブロック図である。
【図７】本発明の第３の実施の形態に係る放送受信装置の構造を示す斜視図である。
【符号の説明】
【０１１０】
１０１  地上波放送用チューナ部、１０２  地上波放送用アナログ復調部、１０３  衛星放送用チューナ部、１０４〜１０６  受信部、ＡＮＴ１〜ＡＮＴ３  アンテナ（入力端子）、Ｋ１  基板、Ｋ２〜Ｋ４  シールドケース、Ｋ５〜Ｋ６  シールド板、Ｋ１１〜Ｋ１３  シャーシ足、Ｋ１４〜Ｋ１６  シャーシ足用穴、１  アッテネータ、２，７〜９，１３〜１５，２７  バンドパスフィルタ、３，１０〜１２  ＲＦアンプ、５１  ミキサＰＬＬ部、２６，２９  ＩＦアンプ、２８，３０，３２〜３３  ＳＡＷフィルタ、４６  ＤＣ−ＤＣコンバータ、ＳＷ１〜ＳＷ２  スイッチ、４２，Ｃ１〜Ｃ４  コンデンサ、４３  コイル、４４，６７〜６８，７１〜７２，７５  アンプ、５２  アナログ復調部、１６〜１８，６５〜６６  混合回路、１９〜２１  局部発振回路、２２  ＡＧＣ検波回路、２３〜２５，３１  ＩＦアンプ、４５，７７  ＰＬＬ回路、３４  ＶＩＦアンプ、３５  映像復調回路、３６  イコライザアンプ、３７  ＳＩＦアンプ、３８  音声検波回路、３９  ＦＭ検波回路、４０  ＡＦアンプ、４１，７６  ＶＣＯ、５０  基準発振回路、４７  水晶、４８  発振器、６１，８２  ハイパスフィルタ、６２〜６３  ＲＦアンプ、５３  ミキサＰＬＬ部、６９〜７０，７８，８１  ローパスフィルタ、６４  ＡＧＣアンプ、７３  ＡＧＣ制御回路、７４  シフター（移相回路）、８３  分配器、Ｔ１  分配出力端子。
【図１】
2007116429.tif 000003
【図２】
2007116429.tif 000004
【図３】
2007116429.tif 000005
【図４】
2007116429.tif 000006
【図５】
2007116429.tif 000007
【図６】
2007116429.tif 000008
【図７】
2007116429.tif 000009